(57)【要約】【課題】腰掛けマッサージのように温灸を腰掛けたり、傾斜したりして行えるようにすることにある。【解決手段】背もたれ可能な腰掛装置６の背もたれ部８に温灸器１を昇降移動可能に配設し、温灸器１を被治療者の背中部の所定の治療位置に移動して温灸するもので、腰掛装置６の背もたれ部８を所定の傾斜角度に傾斜して温灸することができる。また、背中の所要部を温灸器１で温灸するとともに、この温灸器１で同時に指圧することもできる。【選択図】　　　　図２
2004016537.tif 000002
【特許請求の範囲】
【請求項１】
背もたれ可能な腰掛装置の背もたれ部に温灸器を昇降移動可能に配設し、温灸器を被治療者の背中部の所定の治療位置に移動して温灸するようにしたことを特徴とする背もたれ式温灸装置。
【請求項２】
腰掛装置の背もたれ部を所定の傾斜角度に傾斜可能とした請求項１に記載の背もたれ式温灸装置。
【請求項３】
背もたれ可能な腰掛装置の背もたれ部に温灸器を昇降移動可能に配設し、昇降用モータと横行用モータで温灸器を所定位置に自動的に移動して順次温灸していくことを特徴とする背もたれ式温灸方法。
【請求項４】
背中の所要部を温灸器で温灸するとともに、この温灸器で同時に指圧する請求項３に記載の背もたれ式温灸方法。
【発明の詳細な説明】
【０００１】
【発明が属する技術分野】
本発明は、健康器具分野における背もたれ式温灸装置およびその方法に関するものである。
【０００２】
【従来の技術】
近年、ＯＡ機器の著しい普及や、膨大な数の自動車の走行による排ガス公害、その他住宅環境、食事の変化、景気状態等によって、現代人にはストレスが生じ、健康を害する人が多くなっている。
【０００３】
そのため、マッサージ器具や、筋肉疲労を緩和する貼り薬やスプレーなどの健康器具や薬が使用されたり、スポーツセンターやトレーニングセンターが利用されたり、ジョギングなどが行われている。
【０００４】
【発明が解決しようとする課題】
しかし、筋肉痛や腰痛、頭痛などが激しくなると、もはやこれらの健康器具等では治療できず、温灸や指圧、鍼灸などを治療せざるを得なくなったり、もっとひどくなると病院に行って治療してもらうことになる。
【０００５】
特に、従来の温灸では、被治療者の手の届く部位は自分でできても、背中などの手の届かないところは、一人では容易に温灸ができないものであった。
【０００６】
【課題を解決するための手段】
本発明は、上記のような点に鑑みたもので、上記の課題を解決するために、背もたれ可能な腰掛装置の背もたれ部に温灸器を昇降移動可能に配設し、温灸器を被治療者の背中部の所定の治療位置に移動して温灸するようにしたことを特徴とする背もたれ式温灸装置およびその方法を提供するものである。
【０００７】
【発明の実施の形態】
本発明の背もたれ式温灸装置およびその方法は、背もたれ可能な腰掛装置の背もたれ部に温灸器を昇降移動可能に配設し、温灸器を被治療者の背中部の所定の治療位置に移動して温灸するようにしたことを特徴としている。
【０００８】
温灸器１は、図１のように温灸本体部２の前部にセラミックヒーター等の加熱部３を内装し、その前面に小孔等を開口したケース４ににんにくや枇杷葉等のエキスを含浸した吸着体５を装填したり、空状としたりして、このケース４部を加熱部３で加熱して湿式温灸したり、乾式温灸したり、湿乾両方の温灸ができるようにしたものである。しかし、このような温灸手段に限定されず、その他の公知の電気温灸器等も使用することができる。
【０００９】
腰掛装置６は、図２、図３のように腰掛部７に背もたれ部８の下部を傾転可能に軸支具９で軸着していて、サーボモータ等の所定出力の傾転モータ１０で減速歯車機構１１を介して所定の傾斜角度に自在に傾転できるようにしている。
【００１０】
そして、この背もたれ部８の両側端部には、図２、図３のように昇降ガイド１２を内装し、その上下端部に懸架用のダイミングギヤーやスプロケット等の昇降用ホイール１３、１４をそれぞれ懸架軸１５、１６に軸着し、この上下の昇降ホイール１３、１４、にタイミングベルトやチェーンの懸架材１７を懸架してサーボモータ等の昇降用モータ１８によって懸架材１７を所定の速度で、回転駆動するとともに、所定の位置に自動的に位置決め制御できるようにしている。
【００１１】
この両側の懸架材１７の間に図２、図３のように横架材１９を架設し、横架材１９の中央部に上記した温灸器１を所定の間隔で左右対称状にクランプ材２０で着脱可能に装着し、温灸器１の前面の温灸部２１を背もたれ部８の表面よりやや突き出して、被治療者の背中や腰部に当接して温灸治療等を自動的に行えるようにしている。
【００１２】
また、横架材１９にも横行用モータ２２を配設し、ダイミングギヤー等の横行用ホイール２３、タイミングベルト等の懸架材２４を配設して、温灸器１を所定の位置に横行して背中や腰部の所定部位に位置決めできるようにしている。
【００１３】
そして、上記温灸器１は、サーボモータ等の指圧用モータ２５でラック・ピニオン機構２６や早戻り機構等を介して横架材１９に対して垂直状に、すなわち背もたれ部８に対して垂直状に所定の速度で突き出して押圧状態とし、所定の高速度で引っ込むようにして指圧ができるようにしている。
【００１４】
背もたれ部８での温灸器１の位置決め方法としては、図４のように高さＬ０、Ｌ１、Ｌ２・・・、幅Ｗ０、Ｗ１、Ｗ２・・・といった位置に自動設定できるように昇降用モータ１８、横行用モータ２２の駆動制御をマイコン等にプログラム設定して行なうことができる。そして、被治療者の体の大きさに対応してＳ、Ｍ、Ｌの選択ボタンによって、上記した高さＬ、幅Ｗを被治療者の背中〜腰部に対応して温灸器１を所要の適正な位置に自動的に当接できるようにしている。
【００１５】
温灸器１の横方向の移動については、左右対称状の逆ねじ機構を介したりして両側の温灸器１をそれぞれ左右対称状に移動するようにできる。また、左右の温灸器１の一方のみを突き出し、引っ込めるようにして、１個の温灸器１で背中の中央部を温灸するようにもできる。
【００１６】
なお、上記した温灸器１に代えて指圧球等の押圧器や按摩器を交換可能に装着するようにもできる。
【００１７】
【実施例】
図１以下は、本発明の一実施例を示すものである。腰掛装置６の背もたれ部８に図２、図３のように温灸器１をクランプ材２０で装着して昇降用モータ１８、横行用モータ２２で所要の位置に順次移動して腰掛装置６に座った被治療者の背中から腰部を温灸できるようにしている。
【００１８】
温灸するには、電源を入れ、被治療者の体型に応じてＳ、Ｍ、Ｌのいずれかの選択によって、図４に示したように高さ、幅の標準位置に対してＳでは１０％少なく、Ｌでは１０％大きく設定される。必要により、その設定量を入力して−２０〜＋２０％の範囲で設定するようにもできる。
【００１９】
そして、スタートボタンを押すと、たとえば横行用モータ２２が駆動して温灸器１を水平方向の所定位置に移動し、ついで昇降用モータ１８が駆動して腰部から順次首部まで間欠的に温灸器１を自動的に移動して温灸していくものである。
【００２０】
図２の実線で示したように背もたれ部８を垂直状態で温灸でき、傾転モータ１０を駆動して点線のように所定の傾斜角度に背もたれ部８を傾転して寝た状態としても温灸することができる。
【００２１】
その際、温灸兼指圧モードを選択すると、温灸時に指圧用モータ２５が作動し、温灸器１を前方へやや突き出して温灸部を数秒間押圧状態とするとともに、急速に引っ込めることを繰り返して温灸とともに指圧を同時に行っていくことができる。
【００２２】
特に、上記した温灸器１では、セラミックヒーターの加熱部で遠赤外線を放射する乾式温灸と、にんにくや枇杷葉等のエキスを含浸した吸着体５からこれらのエキスを蒸気として噴射して治療部に飛着する湿気温灸ができるために温灸効果を高めることができるものである。
【００２３】
【発明の効果】
以上のように本発明にあっては、背もたれ可能な腰掛装置の背もたれ部に温灸器を昇降移動可能に配設したので、温灸器を被治療者の背中部の所定の治療位置に移動して温灸できるもので、腰掛装置に腰掛けて温灸できて背中の手の届かない部位であっても温灸器を移動して温灸することができる。
【００２４】
また、腰掛装置の背もたれ部を所定の傾斜角度に傾斜して温灸することによって、寝た状態によって楽に温灸することができる。
【００２５】
特に、昇降用モータと横行用モータで温灸器を所定位置に自動的に移動して順次温灸していくことによって、温灸器を自動的に所要の部位に順次移動して温灸でき、腰から背中部にかけての温灸治療が自動的に行える。
【００２６】
またさらに、背中の所要部を温灸器で温灸するとともに、この温灸器で同時に指圧することによって、温灸効果と指圧効果の両方が行えて一層の治療効果を奏するようにできる。
【図面の簡単な説明】
【図１】本発明の一実施例の温灸器の一部切欠した側断面図、
【図２】同上の腰掛装置に実施した説明用側断面図、
【図３】同上の説明用正断面図、
【図４】同上の温灸器の自動位置決め方法の説明用図。
【符号の説明】
１…温灸器　　　　　　６…腰掛装置　　　　　８…背もたれ部
１８…昇降用モータ　　２２…横行用モータ　　２５…指圧用モータ
【図１】
2004016537.tif 000003
【図２】
2004016537.tif 000004
【図３】
2004016537.tif 000005
【図４】
2004016537.tif 000006